(57)【要約】【課題】移動が原因で受信不可となることを防ぐとともに、停止時には短い時間で受信不可の判定をすることができるデジタル放送受信装置を提供する。【解決手段】本発明に係るデジタル放送受信装置は、デジタル放送波から特定の放送プログラムを選局する選局手段２，３，４，１１，１２ａと、自己の移動速度を検出する速度検出部１７と、速度検出部１７が検出した移動速度に応じて、受信不可判定時間の設定を変更する変更手段１２と、選局手段２，３，４，１１，１２ａが特定の放送プログラムを選局するのに要する時間が、設定された受信不可判定時間を超えた場合に受信不可と判定する判定手段１２とを備える。【選択図】図２
2008092482.tif 000002
【特許請求の範囲】
【請求項１】
デジタル放送波から特定の放送プログラムを選局する選局手段と、
自己の移動速度を検出する速度検出部と、
前記速度検出部が検出した前記移動速度に応じて、受信不可判定時間の設定を変更する変更手段と、
前記選局手段が前記特定の放送プログラムを選局するのに要する時間が、前記設定された受信不可判定時間を超えた場合に受信不可と判定する判定手段とを備える、
デジタル放送受信装置。
【請求項２】
前記変更手段は、
前記速度検出部が検出した前記移動速度が停止中に相当するときは、第１の受信不可判定時間を設定し、
前記速度検出部が検出した前記移動速度が移動中に相当するときは、前記第１の受信不可判定時間よりも長い第２の受信不可判定時間を設定する、
請求項１に記載のデジタル放送受信装置。
【請求項３】
前記変更手段は、
前記速度検出部が検出した前記移動速度に応じて、前記受信不可判定時間を連続的に変更する、
請求項１に記載のデジタル放送受信装置。
【請求項４】
前記判定手段が受信不可と判定した場合に受信不可表示を行う表示部と、
前記デジタル放送波から得られる情報を解析して、前記特定の放送プログラムを識別する情報があるか否かを判定する解析部とをさらに備え、
前記表示部における前記受信不可表示は、前記解析部の解析結果に応じた表示を含む、
請求項１乃至請求項３のいずれかに記載のデジタル放送受信装置。
【発明の詳細な説明】
【技術分野】
【０００１】
本発明は、デジタル放送受信装置に関し、特に、車などの移動体に搭載されるデジタル放送受信装置に関するものである。
【背景技術】
【０００２】
近年、デジタル放送受信装置は、車などの移動体に搭載されている（移動体に搭載されるデジタル放送受信装置を以下、移動体用デジタル放送受信装置と呼ぶ）。特許文献１に記載の移動体用デジタル放送受信装置では、車の速度を検出する速度検出部と接続されており、速度検出部で車が停止中であることを検出した場合には、放送プログラムを表示する。反対に車が停止中であることを検出できない場合には、放送プログラムを表示しない。このようにして、車の運転中にユーザがデジタル放送受信装置の表示を見れなくなるようにして、交通安全を確保するようにしている。
【０００３】
移動体用デジタル放送受信装置は、停止状態で使用される家庭内の据え置き型デジタル放送受信装置（以下、固定受信装置）と同様に、選局時間が受信不可判定時間を超えた場合に受信不可であると判定する。
【０００４】
しかしながら、移動体用デジタル放送受信装置が移動している時の選局時間は、移動体用デジタル放送受信装置が停止している時の選局時間よりも時間がかかるにもかかわらず、この受信不可判定時間は、固定受信装置を想定して、短い時間で固定されていた。
【０００５】
そのため、移動体用デジタル放送受信装置が移動すると、その選局時間が受信不可判定時間を超えて受信不可と判定されることが多くなり、ほとんど受信できないという現象が生じていた。この問題を解決するため、従来の移動体用デジタル放送受信装置では、高速で移動したときでも選局できるように、固定受信装置よりも長い受信不可判定時間で設定されている。
【０００６】
【特許文献１】特開２００５−１９７９７２号公報（第１０−１１頁、第２図）
【発明の開示】
【発明が解決しようとする課題】
【０００７】
移動体用デジタル放送受信装置においても、移動体が停止中であれば、選局は短時間で行うことができる。しかしながら、受信不可の判定は、移動しても受信不可と判定されないようにするため予め長い時間で設定されており、必要以上に待たなければならないという問題があった。一方、受信不可判定時間を十分に長く設定しなければ、上述したように、移動が原因で受信できないということが再発する問題があった。
【０００８】
本発明は、上記のような問題点を解決するためになされたものであり、移動が原因で受信不可となることを防ぐとともに、停止時には短い時間で受信不可の判定をすることを目的とする。
【課題を解決するための手段】
【０００９】
本発明に係るデジタル放送受信装置は、デジタル放送波から特定の放送プログラムを選局する選局手段と、自己の移動速度を検出する速度検出部と、前記速度検出部が検出した前記移動速度に応じて、受信不可判定時間の設定を変更する変更手段と、前記選局手段が前記特定の放送プログラムを選局するのに要する時間が、前記設定された受信不可判定時間を超えた場合に受信不可と判定する判定手段とを備える。
【発明の効果】
【００１０】
本発明のデジタル放送受信装置によれば、移動が原因で受信不可となることを防ぐとともに、停止時には短い時間で受信不可の判定をすることができる。
【発明を実施するための最良の形態】
【００１１】
＜実施の形態１＞
本実施の形態に係るデジタル放送受信装置は、例えば、携帯受信装置、移動体用デジタル放送受信装置に用いられる。図１は、デジタル放送波から特定の放送プログラムを選局する手法を示すフローチャートであり、図２は、本実施の形態に係るデジタル放送受信装置の構成を示すブロック図である。図２に示すように、本実施の形態に係るデジタル放送受信装置は、アンテナ１と、チューナ部２と、ＲＦ処理／復調部３と、デマルチプレクサ４と、音声信号生成部５と、映像信号生成部６と、音声出力回路部７と、映像出力回路部８と、スピーカ９と、モニタ１０と、選局制御部１１と、システム制御部１２と、ＰＳＩ解析部１２ａと、表示制御部１３と、速度センサ１４と、メモリ１５と、選局指示部１６と、速度検出部１７とを備える。
【００１２】
図２のブロック図に記した構成とともに、図１の選局動作について説明する。アンテナ１は、デジタル放送波を受信する。選局指示部１６は、ユーザから選局指示を受け、特定の放送プログラムのチャンネル番号を受け付ける。この選局指示部１６は、リモートコントローラであってもよく、デジタル放送受信装置本体に設けられていてもよい。選局制御部１１は、選局指示部１６で受け付けたチャンネル番号に対応する周波数で、チューナ部２をチューニング設定する。さらに、選局制御部１１は、選局指示部１６とＰＳＩ解析部１２ａからの情報に基づいて、デマルチプレクサ４を制御する。
【００１３】
チューナ部２は、デジタル放送波から、選局制御部１１によって設定された周波数に同調する信号を検出、すなわち、キャリア検出する（ＳＴＥＰ１）。ＲＦ処理／復調部３は、チューナ部２で検出した信号を、誤り訂正を行いながら、デジタル信号に復調する。
【００１４】
ここで復調されるデジタル信号は、ＭＰＥＧ２エンコーダによって圧縮された１または複数の放送プログラムの内容を含んでいる。具体的には、放送プログラムの情報、音声の情報、および、映像の情報等、をそれぞれ分割し、それら分割した情報に、それぞれＰＩＤ（Packet Identifier）とよばれる任意の識別番号を付ける。そして、ＰＩＤ別に、１８８バイトを１パケットとしてパケット化された情報（トランスポートパケット：ＴＰ）を、時分割で送り出して多重化することによって圧縮されている。このＴＰが多重化されたデジタル信号を、トランスポートストリーム（ＴＳ）という。
【００１５】
放送プログラムに関する仕様情報を示すＴＰは、ＰＳＩ（Program Specific Information）と呼ばれる。ＰＳＩには、ＰＡＴ（Program Association Table）とＰＭＴ（Program Map Table）がある。また、ＭＰＥＧ圧縮符号化された映像、音声、字幕などのＡＶデータはＥＳ（Elementary Stream）と呼ばれる。
【００１６】
ＰＡＴは、デジタル放送受信装置において最初に取得されるＴＰであり、ＰＭＴのＰＩＤを収めている。このＰＭＴは、放送プログラムと１対１に対応しており、放送プログラムはProgram Numberという番号で識別される。つまり、ＰＡＴは、現在放送されているすべての放送プログラムのＰＩＤを収めている。
【００１７】
ＰＭＴは、ＰＡＴの次に取得されるＴＰであり、ＰＭＴの放送プログラムに対応する映像のＰＩＤ（Video Stream PID）、音声のＰＩＤ（Audio Stream PID）、および、多種の装置において汎用的にＰＬＬ（Phase Locked Loop）クロックの発振速度を合わせるための情報（Program Clock Reference：ＰＣＲ）のＰＩＤ（PCR PID）を収めている。つまり、ＰＭＴは、ＰＭＴに対応する放送プログラムのＥＳのＰＩＤ（Elementary PID）を収めている。
【００１８】
ＰＳＩ解析部１２ａは、放送プログラムを示す情報であるＰＳＩ、つまり、ＰＡＴ、および、ＰＭＴを解析する。このＰＳＩ解析部１２ａは、ＰＡＴを解析した場合には、選局指示部１６で受けた特定の放送プログラムのチャンネル番号に対応するＰＭＴのＰＩＤを求める。また、ＰＭＴを解析した場合には、映像データ、音声データ、ＰＣＲに対応するＰＩＤ、つまり、ＥＳのＰＩＤを求める。
【００１９】
デマルチプレクサ４は、選局制御部１１からの制御により、選局指示部１６で受け付けた特定の放送プログラムに対応する映像データ、音声データ、ＰＳＩデータを、ＲＦ処理／復調部３で復調したデジタル信号（ＴＳ）から分離する。以下、デマルチプレクサ４が、これらデータをデジタル信号（ＴＳ）から分離する動作について説明する。
【００２０】
デマルチプレクサ４は、選局指示部１６からの制御により、ＲＦ処理／復調部３で復調したデジタル信号から、ＰＡＴを最初に受信する（ＳＴＥＰ２）。そして、デマルチプレクサ４は、受信したＰＡＴをＰＳＩ解析部１２ａに送る。ＰＳＩ解析部１２ａは、そのＰＡＴを解析し、選局指示部１６で受けた特定の放送プログラムのチャンネル番号に対応するＰＭＴのＰＩＤが空でなければ、そのＰＭＴのＰＩＤを取得する（ＳＴＥＰ３）。
【００２１】
選局制御部１１は、ＰＳＩ解析部１２ａの解析によって得られたＰＭＴのＰＩＤを受け、デマルチプレクサ４を制御する。デマルチプレクサ４は、選局制御部１１からの制御により、ＰＳＩ解析部１２ａの解析によって得られたＰＭＴのＰＩＤをもとに、デジタル信号（ＴＳ）から、ＰＭＴを受信する（ＳＴＥＰ４）。デマルチプレクサ４は、受信したＰＭＴをＰＳＩ解析部１２ａに送る。ＰＳＩ解析部１２ａは、そのＰＭＴを解析し、特定の放送プログラムに対応するＥＳのＰＩＤが空でなければ、ＥＳのＰＩＤ、つまり、Audio StreamのＰＩＤと、Video StreamのＰＩＤと、時刻基準情報の識別情報（ＰＣＲ）のＰＩＤを取得する（ＳＴＥＰ５）。
【００２２】
選局制御部１１は、ＰＳＩ解析部１２ａの解析によって得られたＥＳのＰＩＤを受け、デマルチプレクサ４を制御する。デマルチプレクサ４は、選局制御部１１からの制御により、ＰＳＩ解析部１２ａの解析によって得られたＥＳのＰＩＤをもとに、デジタル信号（ＴＳ）から、ＥＳを受信する。
【００２３】
以上のようにして、特定の放送プログラムのＥＳ、つまり、Video Stream、Audio Stream、ＰＣＲを識別することにより映像データ、音声データ等を抽出する（ＰＩＤフィルタリング）。こうして抽出された映像や音楽のビットストリームデータを、デマルチプレクサ４は、映像信号生成部６と音声信号生成部５のそれぞれへ流す。
【００２４】
音声信号生成部５は、デマルチプレクサ４から抽出された音声データを音声信号へデコードする。音声出力回路部７は、音声信号生成部５から得られた音声信号をユーザの好みの音量に調整し、スピーカ９で音声を再生する制御を行う。
【００２５】
映像信号生成部６は、デマルチプレクサ４から抽出された映像データを映像信号へデコードする。映像出力回路部８は、映像信号生成部６から得られた映像信号に基づいて、モニタ１０で映像を再生する制御を行う。
【００２６】
こうして別々にデコードされた映像と音声がずれないように再生するためには、これらの同期（Ａ／Ｖ同期）を取る必要がある。そのためには、ＰＣＲの値に、受信機が持っているＰＬＬクロックの発振速度を同期させて、映像、音声を出力する準備をする。そして、映像、音声を出力する段階では、Video StreamとAudio Streamがそれぞれ持っている時分割された再生時刻ＰＴＳ（Presentation Time Stamp）を、ＰＣＲで同期させたＰＬＬクロックでカウントアップしながら、映像、音声を出力する。
【００２７】
さらに、近年のデジタル放送では、放送プログラムごとに異なる映像で表示するために、映像フォーマットを伝送してくる場合がある。このような場合にデジタル放送受信装置が映像フォーマットを取得すると、取得した映像フォーマットにあわせて受信装置のビデオ表示回路を設定する。この映像フォーマットを取得するためには、一定時間ごとに映像ストリームに付加されてくるSequence Headerの内容を参照する。こうして、デジタル放送受信装置は、映像、音声の同期をあわせるとともに、ビデオ表示回路を設定する出力準備を行う（ＳＴＥＰ６）。
【００２８】
以上のように、チューナ部２、ＲＦ処理／復調部３、デマルチプレクサ４、選局制御部１１、ＰＳＩ解析部１２ａから構成される選局手段は、上述したチューナ部２における周波数の設定開始から、音声および映像の出力準備終了までの動作（ＳＴＥＰ１〜６）を行う。
【００２９】
速度センサ１４は、車速信号や進行方向、歩幅を検出する。速度検出部１７は、速度センサ１４で検出した車速信号や進行方向、歩幅を解析処理することによって、自己の移動速度を検出する。例えば、携帯型ナビゲーション装置では、検出した進行方向と、歩幅とカウントした歩数に基づいて移動方向及び移動距離を演算し、これを移動時間で割ることにより移動速度を算出する技術が一般に知られている。また、車載用の移動体用デジタル放送受信装置であれば、車速信号を取得し、この車速信号から相対的移動方向、移動距離および移動速度等を算出する技術が一般的に知られている。速度検出部１７は、解析処理により算出された移動速度を、システム制御部１２に入力する。
【００３０】
システム制御部１２は、デジタル放送受信装置の全動作を制御するものであり、選局指示部１６から入力されたユーザからの選局指示を、選局制御部１１、および、表示制御部１３に送出する。また、システム制御部１２は、速度検出部１７が算出した移動速度を、表示制御部１３に送出する。また、判定手段であるシステム制御部１２は、上述した選局手段が特定の放送プログラムを選局するのに要する時間（以下、選局時間）が、受信不可判定時間を超えた場合に受信不可と判定する。
【００３１】
この選局時間は、主に、チューナ部２で周波数の設定からその周波数に同調する信号を検出するまでの時間、ＰＳＩ（ＰＡＴ、ＰＭＴ）の受信時間、映像フォーマットの情報検出時間、ならびに、Ａ／Ｖ同期（リップシンク処理）に要する時間で占められる。
【００３２】
選局時間の要素のうち、チューナ部２の設定から同調するまでの時間を除いた時間は、ＴＳからそれぞれの処理に必要な情報を受信する時間、つまり、必要な情報の再送周期の時間によるところが大きい。そうすると、選局するのに要する時間である選局時間は、チューナ部２の同期時間、ＰＡＴ再送周期、ＰＭＴ再送周期、Sequence Header再送周期を含むことになる。
【００３３】
また、上述した受信不可判定時間は、選局時間と比較される時間であり、選局時間が受信不可判定時間を超えた場合、受信不可であると判定される。このうち、選局時間の１つであるＰＳＩ（ＰＡＴ、ＰＭＴ）の受信時間と比較される受信不可判定時間について以下説明する。
【００３４】
各情報の再送周期の１例として、日本のＡＲＩＢ規格（Association of Radio Industries and Business）第４編（ＰＳＩ／ＳＩ運用規定）では、ＰＳＩの各情報の再送周期が規定されており、具体的には、ＰＡＴの再送周期は１００ｍｓ、ＰＭＴ（部分受信層以外のサービス）の再送周期は１００ｍｓ、ＰＭＴ（部分受信階層のサービス）の再送周期は２００ｍｓ、と規定されている。
【００３５】
さらに、エンジニアリングサービスのＰＭＴの再送周期は、最大１ｓｅｃと規定されている。エンジニアリングサービスとは、直接受信時の受信機ソフト、または、周波数リスト変更情報などである。このエンジニアリングサービスの再送周期から、ＡＲＩＢ規格に適応する受信機ならば、ＰＳＩの再送周期は、最大１ｓｅｃ程度で設計されることが望ましいとされている。
【００３６】
そのため、一般的な固定受信装置の場合、最大約１ｓｅｃ以内にＰＳＩを受信できなければ、受信不可と判定している。また、ＡＲＩＢ規格では、エンジニアリングサービスを除く部分受信以外の階層のサービスの場合、ＰＡＴで記述されるサービス（放送プログラム）のＰＭＴを１０００ｍｓ以内に受信できなければ、受信不可と判断するように規定されている。以上のことから、固定受信装置の受信不可判定時間は１ｓｅｃであればよいということになる。
【００３７】
なお、ＡＲＩＢ規格では、放送が休止中であることを理由に受信不可とする場合として、「ＰＡＴ、ＰＭＴを受信したが、有効なＰＡＴ、ＰＭＴがない場合」、「ＰＡＴ受信後にＴＳ上からＰＭＴが受信できない場合」、「ＴＳ上からＰＡＴが受信できない場合」を想定している。
【００３８】
「有効なＰＡＴ、ＰＭＴがない場合」というのは、例えば、選局を行った結果、ＰＡＴを受信したが、特定するサービスのエントリー（ＰＭＴのＰＩＤ）がＰＡＴに存在しない場合や、ＰＡＴの中身が空である場合などが該当する。
【００３９】
「ＰＡＴ受信後にＴＳからＰＭＴが受信できない場合」というのは、例えば、ＰＭＴのＰＩＤは得られたが、電波不良、または、高速移動などが原因で、ＴＳからＰＭＴが受信できない場合や、ＰＡＴの修正が対応できていなかった場合が該当する。ＡＲＩＢ規格では、部分受信階層のサービスについて、パケットエラーが無く、受信不可判定時間である２ｓｅｃを経過してもＰＭＴを受信できなければ、放送休止中と判断される。部分受信階層以外の階層のサービスの場合、パケットエラーが無く、受信不可判定時間である１ｓｅｃを経過してもＰＭＴを受信できなければ、放送休止中と判断される。なお、携帯受信機では、無条件に放送休止中と判断される。また、メディアタイプがデータ型サービス以外のサービスに関しては異常状態であるが、上記と同様に扱うのが望ましい。
【００４０】
「ＴＳ上からＰＡＴが受信できない場合」というのは、事故や放送システムのメンテナンスなどが原因である。この場合も、上記と同様に、放送休止中と判断される。ただし、携帯受信機では、もともとＰＡＴが受信できないため、ＰＭＴが受信できない場合に限って、放送休止中と判断される。
【００４１】
システム制御部１２が受信不可と判定した場合、表示制御部１３は、その判定結果を受け、映像信号生成部６、映像出力回路部８を介して、受信不可であることをモニタ１０がＯＳＤ（On Screen Display）表示する制御を行う。こうして、表示部であるモニタ１０は、システム制御部１２が受信不可と判定した場合に、受信不可表示を行う。あるいは、その表示とともに、地上ブロードキャスタ内の他の実行中サービスを表示するように制御してもよい。
【００４２】
さらに、変更手段であるシステム制御部１２は、速度検出部１７が検出した移動速度に応じて、自己が移動中か停止中かを判断し、受信不可判定時間を変更する。本実施の形態では、システム制御部１２は、速度検出部１７が検出した移動速度が上昇するにつれて、この受信不可判定時間を長くする。
【００４３】
また、システム制御部１２は、速度検出部１７が検出した移動速度が停止中に相当するときは、第１の受信不可判定時間を設定し、速度検出部１７が検出した移動速度が移動中に相当するときは、第１の受信不可判定時間よりも長い第２の受信不可判定時間を設定する。例えば、自己が停止中とシステム制御部１２が判定した場合には、第１の受信不可判定時間を固定受信装置と同じ１ｓｅｃに設定し、自己が移動中と判定した場合には、固定受信装置の受信不可判定時間よりも長い第２の受信不可判定時間に設定する。移動中の第２の受信不可判定時間は、例えば、高速移動中の場合には１０ｓｅｃに設定し、移動しているが高速ではない場合には５ｓｅｃに設定する。このように、本実施の形態では、移動中に相当する第２の受信不可判定時間を５ｓｅｃと１０ｓｅｃの２通りで設定しているが、どちらか一方のみの１通りで設定してもよく、あるいは、さらに設定を増やして３通り以上の複数通りで設定してもよい。システム制御部１２は、これらの設定データや、速度センサ１４で検出したデータをメモリ１５に記憶する。
【００４４】
次に、本実施の形態に係るデジタル放送受信装置の動作を、図３のフローチャートを用いて説明する。まず、ユーザが選局指示部１６に、特定の放送プログラムに対応するチャンネル番号を入力することにより、選局処理が開始される（ＳＴＥＰ１１）。
【００４５】
次に、選局動作により映像や音声の情報が途中で変更され、映像や音声が乱れないようにするため、音声出力回路部７は、音声出力を停止するようにスピーカ９を制御し、映像出力回路部８は、映像出力を停止するようにモニタ１０を制御する（ＳＴＥＰ１２）。
【００４６】
それから、速度検出部１７から入力された移動速度に応じて、システム制御部１２は、自己が移動中か停止中かを判断し（ＳＴＥＰ１３）、受信不可判定時間を変更する。本実施の形態では、自己が停止中と判定した場合には、固定受信装置と同じ１ｓｅｃに設定する（ＳＴＥＰ１４）。自己が移動中と判定した場合には、速度検出部１７で検出した移動速度に応じて、受信不可判定時間を変更する。ここでは、移動速度が高速である場合には、１０ｓｅｃに設定し、移動しているが高速ではない場合には、５ｓｅｃに設定する（ＳＴＥＰ１５）。
【００４７】
次に、上述した選局動作（ＳＴＥＰ１〜６）により、デジタル放送波から特定の放送プログラムを選局する（ＳＴＥＰ１６）。そして、システム制御部１２は、選局手段が特定の放送プログラムを選局したか否かを判定する（ＳＴＥＰ１７）。
【００４８】
システム制御部１２が、選局手段が特定の放送プログラムを選局した場合には、ＳＴＥＰ６ですでに行ったＡ／Ｖ再生準備過程でデコードされる。そして、同期をとった映像信号、音声信号のそれぞれに従って、映像出力回路部８は、モニタ１０が映像を出力する制御をし、音声出力回路部７は、スピーカ９が音声を出力する制御をする。こうして、Ａ／Ｖ出力開始過程（ＳＴＥＰ１８）が行われる。
【００４９】
ＳＴＥＰ１７において、選局手段が特定の放送プログラムを未だ選局できていない場合には、システム制御部１２は、選局手段が特定の放送プログラムを選局するのに要した時間が、受信不可判定時間を超えているかをチェックする（ＳＴＥＰ１９）。ここで、選局するのに要した時間が、受信不可判定時間を超えていない場合には、再度、ＳＴＥＰ１６に戻り、選局動作を続ける。選局するのに要した時間が、受信不可判定時間を超えた場合には、受信不可である旨の表示をモニタ１０でＯＳＤ表示するように、表示制御部１３に伝送する。表示制御部１３は、映像信号生成部６、および、映像出力回路部８を経由してモニタ１０を制御し、モニタ１０は、受信不可である旨をＯＳＤ表示して、受信不可表示を行う（ＳＴＥＰ２０）。
【００５０】
以上の動作を行う本実施の形態に係るデジタル放送受信装置は、移動することにより選局する時間がかかっても、移動速度に応じて受信不可判定時間を長くするので、移動が原因で受信不可となる事態を減らすことができる。一方、停止時には受信不可判定時間を短くし、短い時間で受信不可の判定を行うことができるので、ユーザは必要以上待たずにその判定結果を知ることができる。
【００５１】
＜実施の形態２＞
実施の形態１では、図３のＳＴＥＰ２０で、選局手段が特定の放送プログラムを選局するのに要した時間が、受信不可判定時間を超えた場合には、モニタ１０で受信不可である旨を表示していた。しかしながら、その受信不可の原因については何も表示していない。そこで、本実施の形態では、受信不可の原因を表示するようにする。
【００５２】
その構成において、解析部であるＰＳＩ解析部１２ａは、デジタル放送波から得られる情報であるＰＡＴを解析して、特定の放送プログラムを識別する情報であるＰＭＴのＰＩＤがあるか否かを判定する。
【００５３】
また、表示制御部１３は、その解析結果に応じて、映像信号生成部６、映像出力回路部８を介して、モニタ１０を制御する。こうして、モニタ１０における受信不可表示は、ＰＳＩ解析部１２ａの解析結果に応じた表示を含む。
【００５４】
本実施の形態では、ＰＳＩ解析部１２ａがＰＭＴのＰＩＤがあると判定した場合、移動速度が原因で受信できなかった旨を表示するようにする。このうち、ＰＭＴのＰＩＤがあって、ＴＳからＰＭＴが受信できない場合は、ＡＲＩＢ規定に従えば、放送プログラムの休止中に該当するが、この場合も、移動速度が原因で受信できなかった旨を表示するようにする。
【００５５】
また、ＰＳＩ解析部１２ａがＰＭＴのＰＩＤがないと判定した場合、特定の放送プログラムが休止中である旨を表示するようにする。その他の構成については、実施の形態１と同じである。
【００５６】
本実施の形態に係るデジタル放送受信装置の動作を示すフローチャートを、図４に示す。図に示すように、実施の形態１とＳＴＥＰ２０の箇所以降のみが異なる。そのため、このステップの動作についてのみ、以下説明する。
【００５７】
ＰＳＩ解析部１２ａは、ＰＡＴを解析して、ＰＭＴのＰＩＤがあるか否かを判定する（ＳＴＥＰ３０）。モニタ１０は、ＰＳＩ解析部１２ａの解析結果に応じた表示を行う。本実施の形態では、ＰＳＩ解析部１２ａがＰＭＴのＰＩＤがあると判定した場合、モニタ１０は、移動速度が原因で受信不可である旨を表示するようにする（ＳＴＥＰ３１）。ＰＳＩ解析部１２ａがＰＭＴのＰＩＤがないと判定した場合、特定の放送プログラムが休止中である旨を表示するようにする（ＳＴＥＰ３２）。
【００５８】
これにより、特定の放送プログラムが休止中である旨が表示された場合には、ユーザは、もはや、デジタル放送受信装置で対応することができないので、他の放送プログラムを選局すべきであることを知ることができる。一方、移動速度が原因で受信できなかった可能性がある旨が表示された場合には、ユーザは移動速度を落とすか、受信不可判定時間をさらに長く変更するようにすることにより、特定の放送プログラムを選局できる可能性があることを知ることができる。こうして、ＰＳＩ解析部１２ａの解析結果に応じた表示を行うことにより、ユーザは適切な対応ができるようになる。
【００５９】
＜実施の形態３＞
実施の形態１では、システム制御部１２は、受信不可判定時間を、停止中では１ｓｅｃ、移動中では５ｓｅｃ、高速移動中では１０ｓｅｃの３パターンで変更した。本実施の形態では、３パターン以外でも変更できるようにするため、図５のように移動速度と受信不可判定時間の関係を予め記憶しておき、移動速度に応じて、連続的に受信不可判定時間を変更する。
【００６０】
このように受信不可判定時間を連続的に変更することにより、本実施の形態に係る移動体用デジタル放送受信装置は、装置の移動速度に最も適した時間で受信不可の判定をすることができる。
【図面の簡単な説明】
【００６１】
【図１】実施の形態１に係るデジタル放送受信装置の選局動作を示すフローチャートである。
【図２】実施の形態１に係るデジタル放送受信装置を示すブロック図である。
【図３】実施の形態１に係るデジタル放送受信装置の動作を示すフローチャートである。
【図４】実施の形態２に係るデジタル放送受信装置の動作を示すフローチャートである。
【図５】実施の形態３に係るデジタル放送受信装置に使用される受信不可判定時間と移動速度の関係を表す図である。
【符号の説明】
【００６２】
１  アンテナ、２  チューナ部、３  ＲＦ処理／復調部、４  デマルチプレクサ、５  音声信号生成部、６  映像信号生成部、７  音声出力回路部、８  映像出力回路部、９  スピーカ、１０  モニタ、１１  選局制御部、１２  システム制御部、１２ａ  ＰＳＩ解析部、１３  表示制御部、１４  速度センサ、１５  メモリ、１６  選局指示部、１７  速度検出部。
【図１】
2008092482.tif 000003
【図２】
2008092482.tif 000004
【図３】
2008092482.tif 000005
【図４】
2008092482.tif 000006
【図５】
2008092482.tif 000007